(57)【特許請求の範囲】
【請求項１】
上側帳票と下側帳票とからなり、上側帳票の裏面には発色剤を内包するマイクロカプセルを有するマイクロカプセル層が形成され、下側帳票の上面には、前記発色剤と反応して前記発色剤を発色させる顕色剤層が形成された複写用紙を或る特定用途に使用する複写用紙の一組とし、それと同じ特定用途の他の複写用紙の組を備えた複写用紙において、前記複写用紙の一組に形成されたマイクロカプセル層の裏面の一部に、当該マイクロカプセルに内包された発色剤とは異なる色相の色像を生じうるインク層が所定パターン形状に形成され、前記複写用紙の他の組には前記パターン形状と異なるパターン形状のインク層が形成されていることを特徴とする複写用紙。
【請求項２】
インク層が、有色色素を含有する有色インク層であることを特徴とする請求項１記載の複写用紙。
【請求項３】
インク層が、発色剤を内包するマイクロカプセルを有するマイクロカプセルインク層であることを特徴とする請求項１記載の複写用紙。
【請求項４】
インク層が、発色剤を樹脂中に含有する発色剤インク層であることを特徴とする請求項１記載の複写用紙。
【発明の詳細な説明】
【０００１】
【産業上の利用分野】
本発明は、ノーカーボン複写用紙に関し、特に偽造や改ざん等の不正行為の防止に効果的な複写用紙に関する。
【０００２】
【従来の技術】
従来、ノーカーボン複写用紙は、例えば、上用紙が支店控、中用紙が領収書、下用紙が入金連絡票等の３枚綴りの帳票等として広く使用されている。
ノーカーボン複写用紙の複写原理は、上側帳票としては、発色剤として無色又は淡色の発色性色素と共に不揮発性オイルを内包するマイクロカプセルを有する水系又は非水系の分散塗液を上用紙や中用紙の裏面に塗工してマイクロカプセル層としたものを使用する。一方、下側帳票としては、前記発色剤と化学反応して発色剤の構造を変化させることで発色させる顕色剤を含有する塗液を中用紙や下用紙の上面に塗工し顕色剤層としたものを使用する。そして、筆圧によりマイクロカプセルが破壊し、内包されたオイルが発色剤のキャリヤーとして作用し顕色剤層へ転移し、そこで発色剤が化学反応して発色し、筆圧を加えたパターンに応じた色像を形成させるものである。
【０００３】
しかし、金銭授受を記載する帳票においては、金額記入欄を巧妙に改ざんし、不正に着服する行為を防止できることが好ましい。
このため、例えば、実開昭５６−７４７６０号公報では、上側帳票のマイクロカプセル層の裏面に裏カーボン複写用紙に用いる有色カーボンインクでマイクロカプセル層とは異なる色像を生ずるインクを全面に塗布又はスポット的に印刷して有色カーボンインク層を形成した構成の複写用紙が開示されている。この結果、得られる色像は有色カーボンインクとの混合色となり、インク消しで処理しても有色カーボンインクによる色像は残存し、また有色カーボンインク層に印字通りの痕跡が残ることで、偽造防止効果を得るものである。
また、特開平６−４０１４７号公報では、多色複写用紙として、上側帳票のマイクロカプセル層の裏面に、マイクロカプセル層とは異なる色相ら発色する発色剤を樹脂中に含有するインクを特定部分だけ局部的に印刷した構成の複写用紙が開示されている。この結果、得られる色像は混合色となり、他の通常のマイクロカプセル層を有する上側帳票を用いても同じ色相が得らないことで、偽造防止効果が得られるものである。
また、上記と類似の多色複写用紙として、特開平１−３０１３６０号公報では、上側帳票のマイクロカプセル層の裏面に、マイクロカプセル層とは異なる色相に発色する発色剤を内包するマイクロカプセルインクを局部的に印刷した構成の複写用紙が開示されている。この結果、やはり得られる色像は混合色となり、従って、偽造防止の効果が期待し得る。
【０００４】
【発明が解決しようとする課題】
しかしながら、上記の様な上側帳票のマイクロカプセル層に局部的に異なる色像を生じる種々の形式によるインク層を形成した従来の複写用紙では、確かに他の上側帳票を用いても同じ色相は得にくく、従来の通常の他の帳票では、どの上側帳票でも不正行為に利用できるものではないが、同じ上側帳票だけ別の組の上側帳票を利用して、その裏面に形成されたインク層を位置合わせして印字すれば、容易に同じ色相の色像は得られる。しかも局所的にインク層を設けても、位置合わせは裏面のインク層ではなく、実際には表面の印字物や帳票の縦横を合わせるだけで行える。そこで、本発明は、不正行為がより困難な複写用紙を提供することを目的とする。
【０００５】
【課題を解決するための手段】
上記目的を達成するために、本発明の複写用紙の第１の態様は、上側帳票と下側帳票とからなり、上側帳票の裏面には発色剤を内包するマイクロカプセルを有するマイクロカプセル層が形成され、下側帳票の上面には、前記発色剤と反応して前記発色剤を発色させる顕色剤層が形成された複写用紙を或る特定用途に使用する複写用紙の一組とし、それと同じ特定用途の他の複写用紙の組を備えた複写用紙において、前記複写用紙の一組に形成されたマイクロカプセル層の裏面の一部に、当該マイクロカプセルに内包された発色剤とは異なる色相の色像を生じうるインク層が所定パターン形状に形成され、前記複写用紙の他の組には前記パターン形状と異なるパターン形状のインク層が形成されていることを特徴とするものである。
また、本発明の複写用紙の第２の態様は、前記第１の態様において、前記インク層が、有色色素を含有する有色インク層であることを特徴とするものである。
また、本発明の複写用紙の第３の態様は、前記第１の態様において、前記インク層が、発色剤を内包するマイクロカプセルを有するマイクロカプセルインク層であることを特徴とするものである。
また、本発明の複写用紙の第４の態様は、前記第１の態様において、前記インク層が、発色剤を樹脂中に含有する発色剤インク層であることを特徴とするものである。
【０００６】
【作用】
本発明の複写用紙では、上側帳票のマイクロカプセル層の裏面の一部に、マイクロカプセル層とは異なる色像を生じるインク層をパターン状に形成することにより、マイクロカプセル層による第１の色相と、マイクロカプセル層による色相とインク層による色相とが混合した第２の色相とが隣接したパターン状となった色像が得られる。
そして、インク層が局部的に形成されている為、さらに当該局部内でパターン状の色像を形成する為に、異なる組の複写用紙を用いて不正行為を行おうとしても、色相の相違、及びパターンの相違が起こる。
【０００７】
【実施例】
以下、本発明の複写用紙の一実施例を図を用いて具体的に説明する。
図１は、本発明の複写用紙の説明図である。同図（ａ）縦断面図で、１は一組の複写用紙、２は上側帳票、３は下側帳票、４は基材、５は発色剤を内包したマイクロカプセルを有するマイクロカプセル層、６が前記マイクロカプセル層とは異なる色相の色像を生じうるインク層、７は下側帳票の上面に形成され、マイクロカプセル層５に内包された発色剤、あるいは、場合によってはインク層６に含有された発色剤と化学反応して色像として発色させる顕色剤を含んだ顕色剤層である。
そして、同図（ｂ）は平面図で、インク層６が局部的にパターン状に形成された様子を概念的に示すものである。
【０００８】
先ず、本発明の複写用紙を構成する上側帳票及び下側帳票の基材４、また、マイクロカプセル層５、顕色剤層７は、いずれも従来公知のノーカーボン複写用紙に用いられてきたものを使用できる。
【０００９】
そして、インク層６の物質としては、当該インク層単独による複写印字で得られる色像の形成、または、当該インク層とマイクロカプセル層５とのそれぞれによって生ずる色相の共同的作用の複写印字で得られる別の色相を有する色像の形成、が行えるものであればよい。
【００１０】
このようなインク層６の具体的例としては、前記した実開昭５６−７４７６０号公報に使用されている様な裏カーボン複写用紙にカーボンインクによる有色インク層が挙げられる。このように有色インク層としては、従来から裏カーボン用として公知の、有色の色素をワックス、オイル、樹脂等と混合したインクが使用でき、使用する色素もカーボンに限定されず、他の色相を呈する色素、例えば群青、紺青等の顔料でも構わない。このような有色色素を含有する有色インクを、加熱フレキソ印刷等の従来公知の方法によってパターン状に印刷すれば本発明の有色インク層が得られる。
【００１１】
また、インク層６の別の具体例としては、前記した特開平１−３０１３６０号公報に使用されている様なマイクロカプセルインクをパターン状に印刷した、マイクロカプセルインク層が挙げられる。このマイクロカプセルインクは、従来より広く使用されているマイクロカプセル層を形成する塗液とは異なり、パターン状に印刷可能なインクの形態をなすものである。
すなわち、マイクロカプセルを分散液状として得る所までは基本的には従来のマイクロカプセル層を形成するための塗液の製法と同じであるが、その後、カプセル分散液を濾過、乾燥して得た粉体のマイクロカプセルを有機溶剤、オイル、樹脂、ワックス等のビヒクルに分散し、さらに必要に応じその他添加剤を加えた、溶剤乾燥型、電離放射線硬化型、酸化重合型、ホットメルト型等のカプセルインクとしたものである。
印刷は、凸版印刷、フレキソ印刷、グラビア印刷、オフセット印刷、シルクスクリーン印刷等の公知の印刷手段によって行えばよい。
【００１２】
また、インク層６の別の具体例としては、前記した特開平６−４０１４７号公報に使用されている様な発色剤を含有したインクにより形成した発色剤インク層が挙げられる。この発色剤を含有したインクは、ノーカーボン複写用紙に用いられている従来公知の発色剤を、樹脂、溶剤等のビヒクルに直接含有させたインクである。
すなわち、発色剤を酸化チタン、炭酸カルシウム、アルミナ等の白色顔料と共に、植物油、鉱物油、樹脂等からなる従来公知のオフセット用ビヒクルに加えてオフセット用の発色剤インクとしたものが使用できる。また、前記ビヒクルに代えて、紫外線硬化性樹脂と光重合開始剤、光増感剤等からなる従来公知の紫外線硬化性樹脂組成物を使用した、紫外線硬化型の発色剤インクも使用できる。後者は前者に比べ、印刷後の乾燥が早い点で好ましい。
印刷は、マイクロカプセルインクと同様、従来公知の印刷手段によれば良いが、なかでもオフセット印刷が好ましく用いられる。
【００１３】
インク層は、以上説明したような各種インクにより局所的に且つパターン状に形成できる。
パターン形状としては、図１（ｂ）に示すような水平な平行直線群でも良いが、例示されたパターン形状に限定されるものではない。例えば、直線、曲線の単独又は双方の複数の線からなる図形や万線、彩紋、文字等の規則性を有する色像、あるいは直線や曲線部分があるが規則性が認められないランダム図形等であってもよい。
【００１４】
パターン形状としては、望ましくは精細で真似しにくいものが複写用紙の偽造防止の点からは好ましい。
また、パターン形状は、上側帳票と下側帳票とを或る特定用途に使用する複写用紙の１組として、それと同じ特定用途の他の組と異なっていることが好ましい。
【００１５】
次に、パターンを設けることにより、不正行為が如何に防止されるかを説明する。
例えば、上用紙が支店控え、中用紙が領収書、下用紙が入金連絡票の三枚構成の複写用紙で、上用紙と中用紙が本発明の上側帳票と下側帳票に相当する複写用紙を例とする。また、仮に、この複写用紙は１万枚印刷されたものであるとする。
この複写用紙を正しく使用すると、図２に示す用に、中用紙の領収金額として「１０，０００」円が複写される。同図（ａ）は中用紙３の全体を示し、同図（ｂ）は金額部分の拡大図である。そして、Ａの部分はマイクロカプセル層によって通常に発色した通常色相の色像部分、Ｂの部分はパターン状に印刷されたインク層の作用により別の色を生じた特色色相の色像部分を示す。ここでは、パターンの例として図１（ｂ）に示すような水平な平行直線群としている。
【００１６】
改ざんによる不正の手口の例として、２万円分の領収書と引換えに２万円を受け取り、受領した内の１万円を入金票と共に他の者に渡し、差額を着服する場合を図２の場合に対して説明してみる。
すなわち、１万の桁の数字を記入する時だけ上用紙と中用紙の間に薄紙を挟み、千未満の数字等の他の部分、すなわち「￥  ０，０００．＿」を記入するときは薄紙を外して通常の正しい方法で記入する。すると、上用紙と下用紙の金額欄は「￥１０，０００．＿」となり、中用紙の金額欄は「￥  ０，０００．＿」となり、一万の桁は空欄のままとなる。次に、別の組の複写用紙の上用紙を本来の上用紙の代わりに使い、且つ中用紙と下用紙の間には厚紙を挟んで下用紙には筆圧で複写されない様にして、１万の桁の数字として上用紙から「２」を記入する。すると、中用紙の金額欄のみ「￥２０，０００．＿」となる。なお、この時使用した上用紙は廃棄する。使用した別の組の上用紙は、寸法も同じで、金額記入欄も同一であるから、外形形状を中用紙と位置合わせすれば、上用紙の裏面に部分的に形成されたインク層であっても、表側から容易に位置合わせは出来てしまう。この手口に対しては、従来の異なる色像を与えるインク層を局所的に設けただけでは、防ぐことが出来ない。
【００１７】
ところが、１万枚の複写用紙を印刷する時に、例えば４面付けの印刷版から多面付けで印刷し、且つ４面の各々でパターン形状を微妙だが目視で判別できる程度に変化させたパターンとしてＡ，Ｂ，Ｃ，Ｄの四種類を使用して複写用紙を作成したとする。例えば、図１（ｂ）では、水平な複数の直線からなる直線群であったが、各直線をわずかに水平移動させたものとする。
これを先の手口で使おうとすれば、Ａのパターンの複写用紙に、仮に別のＢのパターンの複写用紙を使用した時の中用紙の金額部分は図３の如く不正に改ざんされた「￥２０，０００．＿」となるが、一万の桁の数字「２」の色像だけ他の部分の色像と直線状のパターンがその延長線上に存在せず不連続となり、一目で不正が判別できる。
すなわち、図中、Ａは正しく記入された部分で、Ａ１は不正に記入された部分であり、それぞれ通常のマイクロカプセル層によって得られる通常色相を呈する色像部分である。一方、Ｂは正しく記入された部分で、Ｂ１は不正に記入された部分であり、それぞれパターン状に形成されたインク層によって生ずる前期通常色相とは異なる色相の特色色相を呈する色像部分である。一万の桁の数字「２」の部分の色像Ａ１，Ｂ１は、他の部分の色像Ａ，Ｂと本来ならば、直線状のパターンが相互に関連を有し一致すべきところが、ずれており、一目で改ざんされたものと判別できる。
【００１８】
以上のように、パータン形状を同一用途の複写用紙で判別可能に変えることで、不正は極めて困難となるが、意識的、積極的にパターン形状を変えなくても、インク層の印刷時には、通常に発生する一枚毎の見当精度のブレがあり、このブレが判別可能な程度の精細なパターン形状とすることでも、場合によっては、目的を達成できる。
【００１９】
局所的に且つパターン状にインク層を形成する点では、上述した有色インク、マイクロカプセルインク、発色剤インクは、いずれも望ましい結果を与える。
しかし、有色インクは、汚れやすいという点と、有色であるが故に、パターンが複写前から判別できると言う欠点を有する。この点では、後の２者の方が好ましい。
次に、マイクロカプセルインクは、印刷時の印圧でマイクロカプセルが潰れないように注意する必要があり、この点では、発色剤インクが好ましい。
発色剤インクは、汚れにくさ、印刷のし易さ、また得られるパターン形状も精細なものが可能であり、特に優れている。
【００２０】
なお、複写される色像がパターンを呈するだけならば、通常のマイクロカプセル層を設けずに、インク層のみをパターン状に形成しても得られるだろうが、複写される色像はパターンに該当しない部分が無色（下側帳票の上面の色相）となり、文字等では破線状となって誤読の危険性があり好ましくない。
【００２１】
なお、本発明では上側帳票と下側帳票とによる複写用紙として説明してきたが、３枚以上の帳票からなる複写用紙において、上用紙を上側帳票、下用紙を下側帳票、中用紙は裏面は上側帳票と同様の層構成で上面は下側帳票と同様の層構成のものも本発明の複写用紙に包含する。また、インク層による色像を形成しない帳票部分に例えば上側帳票の上面に自己発色層を設けた様な、セルフコンティンド上用紙等も本発明に包含される。
【００２２】
【発明の効果】
以上詳述した如く本発明の複写用紙によれば、各複写用紙の組によって模様の微妙な相違が生じ、別の一組の複写用紙が用意できても得られる色像の模様の相違が発生することから改ざんが不可能となり、不正行為に対して極めて顕著な防止効果を奏する。
【図面の簡単な説明】
【図１】本発明の複写用紙の縦断面図と、局所的且つパターン状のインク層の平面図
【図２】本発明の複写用紙の正規に使用した時に得られる色像の説明図
【図３】本発明の複写用紙を不正使用した時に得られる色像の説明図
【符号の説明】
１    複写用紙
２    上側帳票
３    下側帳票
４    基材
５    マイクロカプセル層
６    インク層
７    顕色剤層
Ａ，Ａ１  マイクロカプセル層による通常色相の色像部分
Ｂ，Ｂ１  パターン状のインク層の作用による特色色相の色像部分
【図１】
0003908283.tif 000002
【図２】
0003908283.tif 000003
【図３】
0003908283.tif 000004